(57)【要約】【課題】簡単な構成で部品点数が少なく、確実に真空状態の検出を行うことが可能な安価な真空検出器を提供する。【解決手段】レバー７の操作によりボール弁５を操作することで透孔２を閉止状態から開放状態に切替えて鞘管１６内とキャップ装着部３を連通させたとき、鞘管１６内が所期の真空状態であると、コマ１１がキャップ装着部３の端面に吸着されて軸部１２の変位状態が保たれ、これにより真空状態が保たれていることが検出できるようにした。【選択図】図１
2011106902.tif 000002
【特許請求の範囲】
【請求項１】
中心部軸方向に透孔を有し、一端にキャップ装着部を形成すると共に他端に取付け部を形成した検出器本体と、
前記透孔の位置に配置され、透孔を閉止状態と開放状態に切替える切替え弁と、
この切替え弁を前記検出器本体の外側から操作するレバーと、
軸方向の端面を成す壁面部に貫通孔を有し、かつ前記キャップ装着部に着脱可能に装着されたキャップと、
片面側に軸部を有し、該軸部を前記キャップの貫通孔に挿入して前記キャップ内に移動可能に収納されたコマを備え、
前記取付け部により真空容器に取付けた状態で、前記レバーの操作により前記切替え弁を操作することにより前記透孔を閉止状態から開放状態に切替えて前記真空容器内と前記キャップ装着部を連通させたとき、前記真空容器内が所期の真空状態であると、前記コマが前記キャップ装着部の端面に吸着されて前記軸部の変位状態が保たれるようにしたことを特徴とする真空検出器。
【請求項２】
請求項１に記載の真空検出器において、
前記軸部が前記貫通穴から外部に突出するように前記コマを付勢するコイルスプリングを前記キャップ装着部内に配したことを特徴とする真空検出器。
【発明の詳細な説明】
【技術分野】
【０００１】
本発明は、真空容器内の真空が保たれているか否かを検出する真空検出器に関するものである。
【背景技術】
【０００２】
気体の圧力を測定する計器として、例えば、特許文献１に示されるブルドン菅圧力計がある。このブルドン菅圧力計は、Ｃ型の扁平なブルドン菅の一端を菅支持体に設けられた圧力導入路に接続し、このブルドン菅の自由端に変位拡大機構を設け、また菅支持体の上端にねじ止めされたプレートに支持されている指針軸にピニオンを固定して、このピニオンに前記変位拡大機構を係合させ、更に圧力導入路の圧力源側には絞りユニットを設けた構成を備え、圧力流体が絞りユニットを介して圧力導入路からブルドン菅に進入することで圧力を測定するものとなっている。
【先行技術文献】
【特許文献】
【０００３】
【特許文献１】特開２００６−２３１１３号公報
【発明の概要】
【発明が解決しようとする課題】
【０００４】
しかしながら、上述した従来の技術においては、複雑な構造の変位拡大機構や絞りユニットを必要とし、かつ部品点数も多いため、高価であるという問題がある。
【０００５】
また、絞りユニットに設けられる狭窄部材やブルドン菅等の部品が常に圧力を受けるために、これらの部品が劣化し易いという問題もある。
【０００６】
本発明は、このような問題を解決することができる真空検出器を実現することを課題とする。
【課題を解決するための手段】
【０００７】
そのため、本発明の真空検出器は、中心部軸方向に透孔を有し、一端にキャップ装着部を形成すると共に他端に取付け部を形成した検出器本体と、前記透孔の位置に配置され、透孔を閉止状態と開放状態に切替える切替え弁と、この切替え弁を前記検出器本体の外側から操作するレバーと、軸方向の端面を成す壁面部に貫通孔を有し、かつ前記キャップ装着部に着脱可能に装着されたキャップと、片面側に軸部を有し、該軸部を前記キャップの貫通孔に挿入して前記キャップ内に移動可能に収納されたコマを備え、前記取付け部により真空容器に取付けた状態で、前記レバーの操作により前記切替え弁を操作することにより前記透孔を閉止状態から開放状態に切替えて前記真空容器内と前記キャップ装着部を連通させたとき、前記真空容器内が所期の真空状態であると、前記コマが前記キャップ装着部の端面に吸着されて前記軸部の変位状態が保たれるようにしたことを特徴とする。
【発明の効果】
【０００８】
このようにした本発明は、簡単な構成で部品点数が少なく、確実に真空状態の検出を行うことが可能な安価な真空検出器を提供できるという効果が得られる。
【０００９】
また、真空状態の検出時以外は部品が動作せず、真空による負圧がかかることがないので、部品の劣化を最小限に抑えることも可能になるという効果も得られる。
【図面の簡単な説明】
【００１０】
【図１】実施例を示す通常時の側断面図
【図２】実施例を示す通常時の正面図
【図３】実施例を示す真空検出時の側断面図
【図４】実施例を示す真空検出時の正面図
【発明を実施するための形態】
【００１１】
以下、図面を参照して本発明による真空検出器の実施例を説明する。
【実施例１】
【００１２】
図１は実施例を示す通常時の側断面図、図２は実施例を示す通常時の正面図、図３は実施例を示す真空検出時の側断面図、図４は実施例を示す真空検出時の正面図である。
【００１３】
図において１は検出器本体で、中心部軸方向に透孔２を有している。この検出器本体１の一端には透孔２の径より大きい内径を有する筒状のキャップ装着部３が一体に形成されていて、このキャップ装着部３の外周面にはネジが切られている。また、検出器本体１の他端にも透孔２の径より大きい内径を有する筒状の取付け部４が一体に形成されていて、この取付け部４の内周にはネジが切られており、そしてこの取付け部４とキャップ装着部３は透孔２により連通したものとなっている。
【００１４】
５は透孔２と直交するように検出器本体１に設けられた取付け穴内に回転可能に装着されたボール弁（切替え弁）で、透孔２と交叉する位置に該透孔２と同程度の径を有する開放孔６が設けられている。このボール弁５の軸部は検出器本体１から突出し、その突出部分にレバー７が設けられており、検出器本体１の外側でこのレバー７を操作してボール弁５を９０度回転させることにより透孔２を閉止状態と開放孔６による開放状態に切替えられるようになっている。
【００１５】
８はキャップで、筒状部と、この筒状部の軸方向の一端面を成す壁面部からなり、この壁面部の中央には貫通孔９が設けられている。このキャップ８の内部の壁面部側はコマ収納部１０となっていて、このコマ収納部を除く内周面にはネジが切られており、この内周面のネジ部をキャップ装着部３の外周面に設けたネジ部と螺合締結することによりキャップ８はキャップ装着部３に着脱可能に装着されている。
【００１６】
１１はキャップ８のコマ収納部１０より若干小さな径の円板状に形成したコマで、片面中央部に軸部１２を有し、他面にゴムあるいは樹脂等によるパッキン１３が設けられている。このコマ１１はキャップ８のコマ収納部１０内に軸方向へ移動できるように収納されており、かつ軸部１２が貫通孔９に挿入されている。１４はコイルスプリングで、検出器本体１の透孔２とキャップ装着部３の内径との径の差により形成される段差面とコマ１１に設けたパッキン１３との間に配されており、このコイルスプリング１４によりパッキン１３を介してコマ１１がキャップ８の壁面部側に付勢され、コマ１１の軸部１２を貫通孔９から外部に突出させている。
【００１７】
以上の部品により本実施例の真空検出器が構成されるが、この構成においてコマ１１及びコイルスプリング１４を組み付けは、コマ１１をキャップ８のコマ収納部１０内に収納して軸部１２を貫通孔９に挿通し、またコイルスプリング１４の一端側をキャップ装着部３内に入れて段差面に載せて、キャップ５の内周面のネジ部をキャップ装着部３の外周面に設けたネジ部と螺合させることにより行う。
【００１８】
１５は例えば寒冷地に敷設される水道管、１６は水道管１５より径の大きい鞘管で、水道管１５はこの鞘管１６内に配置されている。１７は検出器取付け部で、上記真空検出器の取付け部４の内径と同等の外径を有し、その外周面にはネジが切られている。この検出器取付け部１７は鞘管１６内に通じるように鞘管１６の外周面側に設けられていて、真空検出器の取付け部４の内周面に切られたネジ部を検出器取付け部１７の外周面に切られたネジ部に螺合締結することで真空検出器は鞘管１６に取付けられる。
【００１９】
上述した構成の作用について説明する。
【００２０】
水道管１５と鞘管１６との間の空間は密封されており、水道管１５と鞘管１６との間の空間は真空状態（負圧）に保つものとなっている。これにより水道管１５と鞘管１６はいわゆる魔法瓶の構造（真空容器）となり、保温性が確保されて水道管１５の凍結を防止できるものとなっている。また、真空検出器は、通常、図１、図２に示したようにボール弁５が透孔２を閉止した状態にあって、コマ１１は負圧の影響を受けないため、コイルスプリング１４の付勢力によりコマ１１はキャップ８の壁面部側に付勢され、これにより軸部１２が貫通孔９から外部に突出している。
【００２１】
そこで、水道管１５と鞘管１６との間の空間が所期の真空状態（例えば、圧力レンジ最小メモリ−０．１ＭＰａ以下）に保たれているか否かを検出する場合、図３、図４に示すように、まず操作者が軸部１２の先端を指で押込んでコマ１１を移動させ、このコマ１１に設けられているパッキン１３をキャップ装着部３の端面に押し当てる。この状態のままレバー７を図２に示す矢印Ａの方向に回してボール弁５を９０度回転させると、ボール弁５に設けられている開放孔６が透孔２と同じ向きになるため、透孔２が開放状態となり、これにより水道管１５と鞘管１６との間の空間とキャップ装着部３の内部が連通する。
【００２２】
そのため、水道管１５と鞘管１６との間の空間化初期の真空状態であれば、負圧による吸引力によりパッキン１３が吸引されてキャップ装着部３の端面に密着するため、コマ１１の軸部１２から指を離してもコマ１１は動かず、変位状態のまま軸部１２は外部に突出しないので、水道管１５と鞘管１６との間の空間は所期の真空状態に保たれていることが検出されることになる。
【００２３】
もし、水道管１５と鞘管１６との間の空間が所期の真空状態より高い負圧の状態あるいは大気圧になっている場合は、コマ１１の軸部１２から指を離すと、コイルスプリング１４の付勢力によりパッキン１３と共にコマ１１がキャップ８の壁面部側に移動し、コマ１１の軸部１２が貫通孔９から外部に突出することになる。
【００２４】
従って、操作者はコマ１１の軸部１２の変位状態、つまり軸部１２が貫通孔９から外部に突出したか否かにより水道管１５と鞘管１６との間の空間が初期の真空状態に保たれているか否かを確認することが可能となる。
【００２５】
以上説明した実施例の真空検出器は、中心部軸方向に透孔２を有する検出器本体１の一端にキャップ装着部３を形成すると共に他端に取付け部４を形成し、透孔２を閉止状態と開放状態に切替えるボール弁５と、このボール弁５を検出器本体１の外側から操作するレバー７を設け、また、軸方向の端面を成す壁面部に貫通孔９を有するキャップ８をキャップ装着部３に着脱可能に装着すると共に、このキャップ８内にコマ１１を移動可能に収納して、このコマ１１の片面側に設けた軸部１２をキャップ８の貫通孔９に挿入し、更に軸部１２が貫通穴９から外部に突出するようにコマ１１を付勢するコイルスプリング１４をキャップ装着部３内に配した構成として、取付け部４により内部を真空状態にする鞘管１６に取付けた状態で、レバー７の操作によりボール弁５を回転させることにより透孔２を閉止状態から開放状態に切替えて鞘管１６内とキャップ装着部３を連通させたとき、鞘管１６内が所期の真空状態であると、コマ１１がキャップ装着部３の端面に吸着されて軸部１２の変位状態が保たれ、これにより真空状態が保たれていることが検出できるようにしている。そのため、簡単な構成で部品点数が少なく、確実に真空状態の検出を行うことが可能な安価な真空検出器を提供できるという効果が得られる。
【００２６】
また、真空状態の検出時以外は部品が動作せず、真空による負圧がかかることがないので、部品の劣化を最小限に抑えることも可能になるという効果も得られる。
【００２７】
尚、上述した実施例では、図に示したようにキャップ８が上側になるように真空検出器を鞘管１６に取付けているが、キャップ８が下側になるように真空検出器を鞘管１６に取付けた場合は、自重によりコマ１１が下方に移動するため、コイルスプリング１４を省略することが可能になる。
【００２８】
また切替え弁としてボール弁５を使用したが、検出器本体１の外側からレバー操作で開閉の切替操作を行えるものであれば他の構造のものでもよい。
【００２９】
また、キャップ８のコマ収納部１０内周面とコマ１１の外周面との間の隙間をできるだけ小さくするか、またはコマ１１の外周にＯリングを嵌着してコマ収納部１０内周面に摺動可能に接触させれば、真空状態の検出の際、レバー７の操作によりボール弁５を回転させることにより透孔２を閉止状態から開放状態に切替えるだけで、鞘管１６内が所期の真空状態であれば、コマ１１がキャップ装着部３の端面に吸着されるため、操作者が軸部１２の先端を指で押してコマ１１を移動させる必要がなく、より操作が簡単になる。
【００３０】
また、キャップ８はキャップ装着部３に螺合させて装着するため、容易に取外すことができ、真空度（負圧）の度合いにあわせて付勢力（ばね力）の異なるコイルスプリング１４を装着することが可能となり、汎用性の高い真空検出器として使用することができることになる。
【００３１】
更に、上述した実施例は、水道管１５の凍結を防止する鞘管１６内の真空状態を検出する場合を例にして説明したが、本発明の真空検出器は内部の真空を保つ容器（管）であればどの様なものにも適用でき、簡単に真空状態を検出することが可能である。
【符号の説明】
【００３２】
１    検出器本体
２    透孔
３    キャップ装着部
４    取付け部
５    ボール弁
６    開放孔
７    レバー
８    キャップ
９    貫通孔
１０  コマ収納部
１１  コマ
１２  軸部
１３  パッキン
１４  コイルスプリング
１５  水道管
１６  鞘管
１７  検出器取付け部
【図１】
2011106902.tif 000003
【図２】
2011106902.tif 000004
【図３】
2011106902.tif 000005
【図４】
2011106902.tif 000006